(57)【要約】      （修正有）【課題】１ショットで吐出されるインク滴の重量の異なるインクセットを用いた場合でも、各色同等の単位面積あたりの打ち込み量が確保でき、高い印刷品質を維持できるインクジェット記録装置を提供する。【解決手段】ｎ種類（ｎはｎ≧２の整数）の異なるインクからなるインクセットを具備し、吐出インク重量が各インクによって異なり、最小の吐出インク重量／最大の吐出インク重量の比率が０．６以下であり、各インクの吐出インク重量をそれぞれＩｗ１、Ｉｗ２、・・・、Ｉｗi、・・・、Ｉｗｎ（Ｉｗ１を最小吐出インク重量とする）とし、各インクに割り当てられる吐出ノズル群のノズル解像度をそれぞれＲ１、Ｒ２、・・・、Ｒｉ、・・・、Ｒｎとしたときに、全てのｉ（ｉは１〜ｎまでの任意の整数）について、０．８  ≦  Ｉｗｉ×Ｒｉ2／Ｉｗ１×Ｒ１2 ≦  １．２が成立するようにした。【選択図】なし【特許請求の範囲】
【請求項１】
ｎ種類（ｎはｎ≧２の整数）の異なるインクからなるインクセットを具備するインクジェット記録装置において、
吐出インク重量（１ショットで吐出されるインク滴の重量）が各インクによって異なり、
インクセット中における最小の吐出インク重量／最大の吐出インク重量の比率が０．６以下であり、
インクセットの各インクの吐出インク重量をそれぞれＩｗ１、Ｉｗ２、・・・、Ｉｗi、・・・、Ｉｗｎ（Ｉｗ１を最小吐出インク重量とする）とし、
各インクに割り当てられる吐出ノズル群のノズル解像度をそれぞれＲ１、Ｒ２、・・・、Ｒｉ、・・・、Ｒｎとしたときに、
全てのｉ（ｉは１〜ｎまでの任意の整数）について、
０．８  ≦  Ｉｗｉ×Ｒｉ2／Ｉｗ１×Ｒ１2 ≦  １．２
が成立することを特徴とするインクジェット記録装置。
【請求項２】
インクセット中の全てのインクは、記録媒体へのインクの塗布量が１ｍｇ／ｃｍ2であるときの浸透時間が１秒未満であるような浸透性を有するインクである、請求項１記載のインクジェット記録装置。
【請求項３】
最小の吐出インク重量を与えるインクに含有される色剤濃度が、全インク中で最も高い、請求項１又は２記載のインクジェット記録装置。
【請求項４】
最小の吐出インク重量を与えるインクがブラックインクである、請求項１〜３の何れかに記載のインクジェット記録装置。
【請求項５】
ブラックインクが顔料インクである、請求項４記載のインクジェット記録装置。
【請求項６】
ｎ種類（ｎはｎ≧２の整数）の異なるインクからなるインクセットを用いて記録するインクジェット記録方法において、
吐出インク重量（１ショットで吐出されるインク滴の重量）が各インクによって異なり、
インクセット中における最小の吐出インク重量／最大の吐出インク重量の比率が０．６以下であり、
インクセットの各インクの吐出インク重量をそれぞれＩｗ１、Ｉｗ２、・・・、Ｉｗi、・・・、Ｉｗｎ（Ｉｗ１を最小吐出インク重量とする）とし、
各インクに割り当てられる吐出ノズル群のノズル解像度をそれぞれＲ１、Ｒ２、・・・、Ｒｉ、・・・、Ｒｎとしたときに、
全てのｉ（ｉは１〜ｎまでの任意の整数）について、
０．８  ≦  Ｉｗｉ×Ｒｉ2／Ｉｗ１×Ｒ１2 ≦  １．２
が成立するように記録することを特徴とするインクジェット記録方法。
【請求項７】
請求項１記載のインクジェット記録装置又は請求項６記載のインクジェット記録方法によって記録媒体上に画像が形成された記録物。
【発明の詳細な説明】
【技術分野】
【０００１】
本発明は、複数色からなるインクセットを具備するインクジェット記録装置において、１ショットで吐出されるインク滴の重量の異なるインクセットを用いた場合でも、各色同等の単位面積あたりの打ち込み量が確保でき、高い印刷品質を維持できるインクジェット記録装置に関するものである。
【背景技術】
【０００２】
従来から、印字品位の良好なインクジェット記録装置が種々開発されている。例えば、特開平８−３３６９７９号公報には、複数色のインクを吐出してカラー記録を行うカラーインクジェット記録装置において、定着性の遅いインクの記録ヘッドあるいは粘度や液滴噴射体積等により低い周波数によるインク吐出が必要なインクの記録ヘッドのノズル数を、それ以外のインクを吐出する記録ヘッドのノズル数より多くすることにより、ブリーディングを抑え、印字品位の良好なカラーインクジェット記録装置が開示されている（特許文献１）。
【０００３】
しかし、このようなインクジェット記録装置のようにノズル数を多くしても、単位面積あたりの打ち込み量は増加しない。また、該公報には、当該インクジェット記録装置に係るインクの物性とノズル解像度との間の関連に数値的な記載がなく、実効性が少ない。従来の記録装置では、インクセットの各インクにおいて１ショットで吐出されるインク滴の重量が異なることにより、各色間で単位面積あたりの打ち込み量がばらつき、印刷品質が確保できないという問題がある。
【特許文献１】特開平８−３３６９７９号公報
【発明の開示】
【発明が解決しようとする課題】
【０００４】
そこで、本発明は、１ショットで吐出されるインク滴の重量の異なるインクセットを用いた場合でも、各色同等の単位面積あたりの打ち込み量が確保でき、高い印刷品質を維持できるインクジェット記録装置を提供することを目的とする。
【課題を解決するための手段】
【０００５】
本発明者は、鋭意研究した結果、次の各知見を得た。
色ごとに単位面積あたりのインク重量が大きく異なる場合には、記録媒体へのベタ埋まりの均一性が各色で異なり、画質を劣化させる一因となり得る。
記録媒体へのベタ埋まりが良好で、かつ裏移り等を少なくする為の適当な単位面積当たりのインク重量は、超浸透インク（塗布量が１ｍｇ／ｃｍ2のときに被塗布面への浸透時間が１秒未満となるインク）の場合、０．６〜１．２ｍｇ／ｃｍ2程度である。これは、約３０〜６０ｎｇ／（３６０ｄｐｉ）2に相当する。
各色の単位面積当たりのインク重量の差が大きく、かつある色の単位面積当たりのインク重量が１．２ｍｇ／ｃｍ2程度よりも大きい場合には、隣接する他色への色の滲み出しが発生しやすく（カラーブリード）、画質劣化の一因となり得る。
【０００６】
そして、本発明者は、上記各知見に基づいて更に研究したところ、下記１．の発明を提供することにより、前記目的を達成した。
１．ｎ種類（ｎはｎ≧２の整数）の異なるインクからなるインクセットを具備するインクジェット記録装置において、
吐出インク重量（１ショットで吐出されるインク滴の重量）が各インクによって異なり、
インクセット中における最小の吐出インク重量／最大の吐出インク重量の比率が０．６以下であり、
インクセットの各インクの吐出インク重量をそれぞれＩｗ１、Ｉｗ２、・・・、Ｉｗi、・・・、Ｉｗｎ（Ｉｗ１を最小吐出インク重量とする）とし、
各インクに割り当てられる吐出ノズル群のノズル解像度をそれぞれＲ１、Ｒ２、・・・、Ｒｉ、・・・、Ｒｎとしたときに、
全てのｉ（ｉは１〜ｎまでの任意の整数）について、
０．８  ≦  Ｉｗｉ×Ｒｉ2／Ｉｗ１×Ｒ１2 ≦  １．２
が成立することを特徴とするインクジェット記録装置。
【０００７】
また、本発明は、下記２．〜７．の発明をそれぞれ提供するものである。
２．インクセット中の全てのインクは、記録媒体へのインクの塗布量が１ｍｇ／ｃｍ2であるときの浸透時間が１秒未満であるような浸透性を有するインクである、前記１記載のインクジェット記録装置。
【０００８】
３．最小の吐出インク重量を与えるインクに含有される色剤濃度が、全インク中で最も高い、前記１又は２記載のインクジェット記録装置。
【０００９】
４．最小の吐出インク重量を与えるインクがブラックインクである、前記１〜３の何れかに記載のインクジェット記録装置。
【００１０】
５．ブラックインクが顔料インクである、前記４記載のインクジェット記録装置。
【００１１】
６．ｎ種類（ｎはｎ≧２の整数）の異なるインクからなるインクセットを用いて記録するインクジェット記録方法において、
吐出インク重量（１ショットで吐出されるインク滴の重量）が各インクによって異なり、
インクセット中における最小の吐出インク重量／最大の吐出インク重量の比率が０．６以下であり、
インクセットの各インクの吐出インク重量をそれぞれＩｗ１、Ｉｗ２、・・・、Ｉｗi、・・・、Ｉｗｎ（Ｉｗ１を最小吐出インク重量とする）とし、
各インクに割り当てられる吐出ノズル群のノズル解像度をそれぞれＲ１、Ｒ２、・・・、Ｒｉ、・・・、Ｒｎとしたときに、
全てのｉ（ｉは１〜ｎまでの任意の整数）について、
０．８  ≦  Ｉｗｉ×Ｒｉ2／Ｉｗ１×Ｒ１2 ≦  １．２
が成立するように記録することを特徴とするインクジェット記録方法。
【００１２】
７．前記１記載のインクジェット記録装置又は前記６記載のインクジェット記録方法によって記録媒体上に画像が形成された記録物。
【発明の効果】
【００１３】
本発明によれば、１ショットで吐出されるインク滴の重量の異なるインクセットを用いた場合でも、各色同等の単位面積あたりの打ち込み量が確保でき、高い印刷品質を維持できるインクジェット記録装置が提供される。
また、本発明によれば、１ショットで吐出されるインク滴の重量の異なるインクセットを用いた場合でも、各色同等の単位面積あたりの打ち込み量が確保でき、高い印刷品質を維持できるインクジェット記録方法、並びに高い印刷品質を備えた記録物が提供される。
【発明を実施するための最良の形態】
【００１４】
以下に本発明に係るインクジェット記録装置について、その好ましい実施態様に基づき説明する。
【００１５】
本発明のインクジェット記録装置は、既述の通り、ｎ種類（ｎはｎ≧２の整数）の異なるインクからなるインクセットを具備するインクジェット記録装置において、吐出インク重量（１ショットで吐出されるインク滴の重量）が各インクによって異なり、インクセット中における最小の吐出インク重量／最大の吐出インク重量の比率が０．６以下であり、  インクセットの各インクの吐出インク重量をそれぞれＩｗ１、Ｉｗ２、・・・、Ｉｗi、・・・、Ｉｗｎ（Ｉｗ１を最小吐出インク重量とする）とし、各インクに割り当てられる吐出ノズル群のノズル解像度をそれぞれＲ１、Ｒ２、・・・、Ｒｉ、・・・、Ｒｎとしたときに、全てのｉ（ｉは１〜ｎまでの任意の整数）について、以下の式が成立することを特徴とする。
０．８  ≦  Ｉｗｉ×Ｒｉ2／Ｉｗ１×Ｒ１2 ≦  １．２
ここで、Ｒ１は、最小吐出インク重量Ｉｗ１のインクに割り当てられる吐出ノズルのノズル解像度を表す。なお、ノズル解像度Ｒ１、Ｒ２、・・・、Ｒｉ、・・・、及びＲｎは、それぞれ吐出インク重量Ｉｗ１、Ｉｗ２、・・・、Ｉｗi、・・・、及びＩｗｎの各インクに対応する吐出ノズルのノズル解像度を表す。
【００１６】
本発明のインクジェット記録装置は、上記の構成からなるため、１ショットで吐出されるインク滴の重量（以下、「吐出インク重量」という）の異なるインクセットを用いた場合でも、各色同等の単位面積あたりの打ち込み量が確保でき、高い印刷品質を維持できる。即ち、本記録装置は、Ｏ．Ｄ．値、ベタ埋まり及び裏移り防止性をバランスよく改善したものである。
【００１７】
本発明の概念を簡単に説明するため、吐出インク重量とノズル解像度との関係が以下の数値例の場合を考える。また、各ケースとも、１ドットを形成するために必要なショット数は１とする。以下では、Ｂｋはブラックインク、Ｃｏｌはカラーインクに係ることを意味する。
【００１８】
（ケース１）Ｂｋ用ノズル解像度＝７２０ｄｐｉ、Ｃｏｌ用ノズル解像度＝３６０ｐｄｉ、
Ｂｋの吐出インク重量＝１１ｎｇ、  Ｃｏｌの吐出インク重量＝４５ｎｇ
（ケース２）Ｂｋ用ノズル解像度＝６００ｄｐｉ、Ｃｏｌ用ノズル解像度＝６００ｐｄｉ、
Ｂｋの吐出インク重量＝１１ｎｇ、  Ｃｏｌの吐出インク重量＝４５ｎｇ
（ケース３）Ｂｋ用ノズル解像度＝７２０ｄｐｉ、Ｃｏｌ用ノズル解像度＝３６０ｐｄｉ、
Ｂｋの吐出インク重量＝４０ｎｇ、  Ｃｏｌの吐出インク重量＝４０ｎｇ
（ケース４）Ｂｋ用ノズル解像度＝６００ｄｐｉ、Ｃｏｌ用ノズル解像度＝６００ｐｄｉ、
Ｂｋの吐出インク重量＝４０ｎｇ、  Ｃｏｌの吐出インク重量＝４０ｎｇ
【００１９】
ここで、本発明の適用範囲は、最小吐出インク重量／最大吐出インク重量が０．６以下で、Ｐ≡Ｉｗｉ×Ｒｉ2／Ｉｗ１×Ｒ１2とすると、０．８≦Ｐ≦１．２である。
（ケース１）の場合は、吐出インク重量比が０．２４、Ｐ＝１．０２であり、本発明の適用範囲内である。
この場合、１ｃｍ2の範囲に吐出されるインク重量はそれぞれ次の通りである。
Ｂｋ；  １１×１０-6／（２．５３／７２０）2＝０．８９ｍｇ／ｃｍ2、
Ｃｏｌ；４５×１０-6／（２．５３／３６０）2＝０．９１ｍｇ／ｃｍ2
ＢｋとＣｏｌのバランスがよく、同じようにベタ埋まりが可能である。また、それぞれの単位面積当たりのインク重量も１ｍｇ／ｃｍ2と適当な範囲であり、裏移り、カラーブリード等による劣化が生じることもない。
【００２０】
（ケース２）の場合は、吐出インク重量比が０．２４、Ｐ＝４．０９であり、本発明の適用範囲外である。
この場合、１ｃｍ2の範囲に吐出されるインク重量はそれぞれ次の通りである。
Ｂｋ；  １１×１０-6／（２．５３／６００）2＝０．６２ｍｇ／ｃｍ2、
Ｃｏｌ；４５×１０-6／（２．５３／６００）2＝２．５３ｍｇ／ｃｍ2
ＢｋとＣｏｌのバランスが悪く、かつＣｏｌの値が大きいため、Ｃｏｌインクの裏移りおよびＢｋへのＣｏｌの滲み出しによる画質劣化が発生する場合がある。
【００２１】
（ケース３）の場合は、吐出インク重量比が１．００、Ｐ＝０．２５であり、本発明の適用範囲外である。
この場合、１ｃｍ2の範囲に吐出されるインク重量はそれぞれ次の通りである。
Ｂｋ；  ４０×１０-6／（２．５３／７２０）2＝３．２３ｍｇ／ｃｍ2、
Ｃｏｌ；４０×１０-6／（２．５３／３６０）2＝０．８１ｍｇ／ｃｍ2
ＢｋとＣｏｌのバランスが悪く、かつＢｋの値が大きいため、Ｂｋインクの裏移りおよびＣｏｌへのＢｋの滲み出しによる画質劣化が発生する場合がある。
【００２２】
（ケース４）の場合は、吐出インク重量比が１．００、Ｐ＝１．００であり、本発明の適用範囲外である。
この場合、１ｃｍ2の範囲に吐出されるインク重量はそれぞれ次の通りである。
Ｂｋ；  ４０×１０-6／（２．５３／６００）2＝２．２４ｍｇ／ｃｍ2、
Ｃｏｌ；４０×１０-6／（２．５３／６００）2＝２．２４ｍｇ／ｃｍ2
ＢｋとＣｏｌのバランスがよく、同じようにベタ埋まりは可能である。しかし、単位面積当たりのインク重量がともに大きく、裏移りによる劣化が生じる場合がある。
【００２３】
本発明のインクジェット記録装置に用いることのできるインクは、いわゆるインクジェット記録方式によって、紙等の記録媒体に文字や図形等の画像を記録形成するためにインクジェットプリンタのプリンタヘッドから液滴として吐出するための記録液として用いられるものである。
【００２４】
本発明においては、２種類以上の異なるインクのセットを用いて前記式の条件を満たす限り、用いるインクに特に制限されない。インクセットにおけるインクの種類は２種類以上であるが、２〜８種類が特に好ましい。インクの組成は、通常のインクジェット記録用のインクに用いられるインク組成と同様のものが用いられるが、特に、インクセット中の全てのインクは、記録媒体へのインクの塗布量が１ｍｇ／ｃｍ2であるときの浸透時間が１秒未満であるような浸透性を有するインク（以下、超浸透タイプのインクともいう）であることが好ましい。
ここで、塗布量が１ｍｇ／ｃｍ2であるときの浸透時間が１秒未満であるインクとは、具体的には、例えば３６０ｄｐｉ（ドット／インチ）×３６０ｄｐｉの面積に５０ｎｇのインクを塗布した場合に、印刷面を触ってもインクで汚れなくなるまでの時間が１秒未満であるインクを指す。
【００２５】
この超浸透タイプのインクは、水溶液の表面張力が小さくなる水溶性有機溶剤や界面活性剤等の浸透促進剤を添加して、記録媒体への濡れ性を向上することで浸透性を早めたものである。
【００２６】
水溶性有機溶剤としては、エタノール、プロパノール等の低級アルコール、エチレングリコールモノメチルエーテル、エチレングリコールモノエチルエーテル等のセロソルブ類、ジエチレングリコールモノメチルエーテル、ジエチレングリコールモノエチルエーテル等のカルビトール類、１，２−へキサンジオール、１，２−オクタンジオール等の１，２−アルカンジオール類等が挙げられる。中でも、ジエチレングリコールモノブチルエーテル、トリエチレングリコールモノブチルエーテル等のグリコールブチルエーテル系の水性有機溶剤が、優れた浸透性を与える意味で特に好ましい。
【００２７】
また界面活性剤としては、脂肪酸塩類、アルキル硫酸エステル塩類等のアニオン性界面活性剤、ポリオキシエチレンアルキルエーテル、ポリオキシエチレンフェニルエーテル等のノニオン性界面活性剤、カチオン性界面活性剤、両イオン性界面活性剤等を用いることができる。中でも、ノニオン性界面活性剤が低起泡性であることから特に好ましく、更にはアセチレングリコール系ノニオン性界面活性剤が、優れた浸透性を与える意味で特に好ましい。
【００２８】
これらの浸透促進剤は、水溶性有機溶剤または界面活性剤単独、あるいは併用して、２０℃におけるインクの表面張力が４５ｍＮ／ｍ以下、好ましくは４０ｍＮ／ｍ以下に調整して添加することが好ましい。
【００２９】
インクセット中における最小の吐出インク重量／最大の吐出インク重量の比率は０．６以下であるが、好ましくは０．２〜０．６である。
【００３０】
インクセット中の最小の吐出インク重量を与えるインクに含有される色剤濃度は、全インク中で最も高いことが、該インクでの高いＯＤ値と印刷品質のバランスを保持させ得るという点で好ましい。
【００３１】
インクセットにおける最小の吐出インク重量を与えるインクがブラックインクは、ブラックインクであることが、オフィスや家庭における印刷のうちの大部分が黒文字で印刷され、故にブラックインクの品質に対して特に発生する高い改善要求に対して本発明が効果的に応え得る、という点で好ましい。この場合、ブラックインクは、色剤として顔料を使用した顔料インクであることが、普通紙や再生紙等の汎用紙においてより高い印刷品質を得られるという点に加え、高い耐水性、耐候性の記録物が得られるという点でより好ましい。
【００３２】
吐出インク重量は特に制限されるものではないが、最小の吐出インク重量を与えるインクの吐出インク重量Ｉｗ１が好ましくは２〜１５ｎｇ、それ以外のインクの吐出インク重量Ｉｗ２、Ｉｗ３・・・、Ｉｗｎが好ましくは２０〜６０ｎｇである。
【００３３】
インクに割り当てられる吐出ノズル群のノズル解像度は特に制限されるものではないが、最小の吐出インク重量を与えるインクのノズル解像度Ｒ１が好ましくは６００〜１５００ｄｐｉ、それ以外のノズル解像度Ｒ２、Ｒ３・・・、Ｒｎが好ましくは９０〜５００ｄｐｉである。
【００３４】
本発明のインクジェット記録装置は、ラインヘッドプリンタやインクジェットページプリンタ等の高速プリンタにも好適に適用できる。
【００３５】
また、本発明は、次の記録方法を提供する。かかる記録方法の好適な態様等は、前述した記録装置について説明したことが適宜適用される。
ｎ種類（ｎはｎ≧２の整数）の異なるインクからなるインクセットを用いて記録するインクジェット記録方法において、
吐出インク重量（１ショットで吐出されるインク滴の重量）が各インクによって異なり、
インクセット中における最小の吐出インク重量／最大の吐出インク重量の比率が０．６以下であり、
インクセットの各インクの吐出インク重量をそれぞれＩｗ１、Ｉｗ２、・・・、Ｉｗi、・・・、Ｉｗｎ（Ｉｗ１を最小吐出インク重量とする）とし、
各インクに割り当てられる吐出ノズル群のノズル解像度をそれぞれＲ１、Ｒ２、・・・、Ｒｉ、・・・、Ｒｎとしたときに、
全てのｉ（ｉは１〜ｎまでの任意の整数）について、
０．８  ≦  Ｉｗｉ×Ｒｉ2／Ｉｗ１×Ｒ１2 ≦  １．２
が成立するように記録することを特徴とするインクジェット記録方法。
【００３６】
本記録方法によれば、１ショットで吐出されるインク滴の重量の異なるインクセットを用いた場合でも、各色同等の単位面積あたりの打ち込み量が確保でき、高い印刷品質を維持できる。即ち、本記録方法は、Ｏ．Ｄ．値、ベタ埋まり及び裏移り防止性をバランスよく改善したものである。
【００３７】
また、本発明は、前述したインクジェット記録装置又は前述したインクジェット記録方法によって記録媒体上に画像が形成された記録物を提供することができ、かかる記録物は、高い印刷品質を備えたものである。即ち、本記録物は、Ｏ．Ｄ．値、ベタ埋まり及び裏移り防止性をバランスよく備えたものである。
【００３８】
以下、実施例により本発明を更に詳細に説明するが、本発明はかかる実施例により何等制限されるものではない。
【００３９】
表１に示す色剤種、色剤濃度及び吐出インク重量である各色インク（インク１〜９）を、実施例に供した。これらのインクは、トリエチレングリコールモノ−ｎ−ブチルエーテルを３重量部、界面活性剤オルフィンＥ１０１０（商品名、日信化学工業株式会社製）を０．５重量部それぞれインク全量に対して含んでなる、本発明において定義されるところの超浸透タイプのインクである。
【００４０】
【表１】
2006256126.tif 000002
【００４１】
これらのインクを用いて、表２に示すインクセットＡ〜Ｅのうちの何れか一のインクセットと、表２に示すヘッド構成からなるヘッドＡ〜Ｄのうちの何れか一のヘッドとを表３又は表４に示す組み合わせで備えたインクジェット記録装置を準備した。
【００４２】
【表２】
2006256126.tif 000003
【００４３】
【表３】
2006256126.tif 000004
【００４４】
【表４】
2006256126.tif 000005
【００４５】
これらのインクジェット記録装置について、記録媒体上に印刷物を形成し、以下の基準に従って評価１〜３を行った。その結果を表５に示す。
【００４６】
評価１：最小の吐出インク重量を与えるインクのＯ．Ｄ．値（５紙平均値）
判定Ａ  １．４０以上
判定Ｂ  １．２５以上１．４０未満
判定Ｃ  １．１０以上１．２５未満
判定Ｄ  １．１０未満
【００４７】
評価２：ベタ埋まり
判定Ａ  評価紙５紙全てにおいて、ベタ印刷部に白筋がない状態
判定Ｂ  ２紙以下の紙種において、ベタ印刷部に白筋が目視観察される状態
判定Ｃ  ４紙以下の紙種において、ベタ印刷部に白筋が目視観察される状態
判定Ｄ  評価紙５紙全てにおいて、ベタ印刷部に白筋が目視観察される状態
【００４８】
評価３：印刷物を裏から見たときの裏移り
判定Ａ  評価紙５紙全てにおいて、裏移りがほとんどない状態
判定Ｂ  ２紙以下の紙種において、裏移りが目視観察される状態
判定Ｃ  ４紙以下の紙種において、裏移りが目視観察される状態
判定Ｄ  評価紙５紙全てにおいて、裏移りが目視観察される状態
【００４９】
評価は、以下の５種類の普通紙・再生紙を用いて行った。
Ｘｅｒｏｘ  ４０２４、Ｘｅｒｏｘ  Ｐ、Ｈｍｍｅｒｍｉｌｌ  ｃｏｐｙｐｌｕｓ（中性紙）、ＥＰＰ（酸性紙）、Ｘｅｒｏｘ  Ｒ（再生紙）
【００５０】
【表５】
2006256126.tif 000006
【産業上の利用可能性】
【００５１】
本発明は、１ショットで吐出されるインク滴の重量の異なるインクセットを用いた場合でも、各色同等の単位面積あたりの打ち込み量が確保でき、高い印刷品質を維持できるインクジェット記録装置及びインクジェット記録方法、並びに高い印刷品質を備えた記録物として、産業上の利用可能性を有する。